(57)【要約】      （修正有）【課題】亀やイモリ等の水生動物を飼育する浮島（浮遊物体）を頻繁に取り外す際に、手間の掛からないように構成した浮島（浮遊物体）及びそれらを用いた水槽装置を提供する。【解決手段】水槽１の１つの側壁３に、側壁３を挟んで一対の磁石片６Ａ、６Ｂからなる磁石体５を互いに吸着する。浮島１０を浮島本体１１と浮島本体１１に取り付けた磁性体としてのボルトとで構成する。浮島本体１１には、水槽１内側の第１の磁石片６Ａに対向する位置に、厚み方向に厚い部位を有する装着部１３を形成する。装着部１３には、縦溝１４を設け、縦溝１４にボルトをねじ込んでいる。縦溝１４内に第１の磁石片６Ａを挿入して、ボルトと第１の磁石片６Ａとを吸着させる。【選択図】図１
0003189851.tif 000002
【実用新案登録請求の範囲】
【請求項１】
収納体内の水上を浮遊可能な浮遊物体であって、
前記浮遊物体は、前記収納体内に前記収納体の一つの側壁を挟んで吸着する内側の第１の磁石片と外側の第２の磁石片からなる磁石体に対向して配置され、
前記浮遊物体には、前記第１の磁石片と前記第２の磁石片間に作用する吸着力より弱い吸着力で前記磁石体の一方の磁石片に吸着する磁性体が備えられていることを特徴とする浮遊物体。
【請求項２】
前記浮遊物体が、水槽内を浮遊して配置される水生動物の乗り降りする浮島本体と前記浮島本体に取り付けられた前記磁性体とを有する浮島であって、前記浮島の側面の一部に前記第１の磁石片が挿入される縦溝が形成され、前記縦溝内に、前記第１の磁石片に吸着可能な前記磁性体が配置されていることを特徴とする請求項１記載の浮遊物体。
【請求項３】
水槽の一つの側壁の内側に配置される第１の磁石片と、前記水槽の一つの側壁の外側に配置される第２の磁石片と、前記第１の磁石片と吸着する磁性体と、前記磁性体が取り付けられる浮遊物体と、を備えて前記水槽に取り付けられる浮遊物体セットであって、
前記第１の磁石片と、前記第２の磁石片とを、互いに吸着した状態で前記水槽の一つの側壁を挟んで配置された状態において、
前記第１の磁石片と、前記磁性体とが吸着して前記水槽内に前記浮遊物体が配置されていることを特徴とする浮遊物体セット。
【請求項４】
前記第１の磁石片と前記第２の磁石片との間に作用する吸着力は、前記磁性体が前記第１の磁石片に作用する吸着力より大きく形成されていることを特徴とする請求項３記載の浮遊物体セット。
【請求項５】
水槽と、前記水槽内の水上に浮遊する浮遊物体と、を備えて、前記浮遊物体が前記水槽内で停留可能に構成される水槽装置であって、
前記水槽の少なくとも一つの側壁に前記側壁の内側から吸着する第１の磁石片と外側から吸着する第２の磁石片からなる磁石体と、
前記浮遊物体の側面の一部に取り付ける磁性体と、を備え、
前記一対の磁石片のうち水槽内側に配置される第１の磁石片に前記磁性体が吸着して前記浮遊物体が前記水槽内で停留できることを特徴とする水槽装置。
【請求項６】
前記浮遊物体が、水槽内を浮遊して配設される水生動物の乗り降りする浮島本体と前記浮島本体に取り付けられた前記磁性体とを有する浮島であって、前記浮島本体の側面の一部に前記第１の磁石片が挿入される縦溝が形成され、前記縦溝内に、前記第１の磁石片に吸着可能な前記磁性体が配置されていることを特徴とする請求項５記載の水槽装置。
【請求項７】
前記第１の磁石片と前記第２の磁石片に作用する吸着力は、前記磁性体が前記第１の磁石片に作用する吸着力より大きく形成されていることを特徴とする請求項５又は６記載の水槽装置。
【考案の詳細な説明】
【技術分野】
【０００１】
本考案は、水上を浮遊する浮遊物体及び浮遊物体セット及びその浮遊物体を水槽内で停留可能に配置する水槽装置に関する。
【背景技術】
【０００２】
水槽内に浮遊する物体、例えば、浮島を浮かべて亀やイモリ等の水生動物を飼育するものが特許文献１に開示されている。これによると、浮島は、亀等が上陸できる浮島本体と、浮島に上下摺動可能に嵌挿する案内バーを設け、案内バーの先端に吸着盤を備えている。吸着盤を水槽の一つの壁に吸着させ、水位の高さにより浮島本体を上下可能に浮遊させている。
【先行技術文献】
【特許文献】
【０００３】
【特許文献１】特開２０１２-１００５４４公報
【考案の概要】
【考案が解決しようとする課題】
【０００４】
しかし、亀やイモリ等の水生動物を飼育する場合には、水槽内が汚れることから、水槽や浮島本体を頻繁に掃除する必要があった。そのため、浮島を水槽から頻繁に取り出すことになり、浮島の水槽からの取り外し作業を容易にする必要があった。特許文献１の水槽装置では、浮島本体を案内バーの下方から引き抜くことによって案内バーから脱着することになり、浮島本体の取り外しに手間がかかっていた。また、案内バーにガイドされた浮島本体は、亀やイモリ等の水生動物の頻繁な動きにより案内バー自体に負担が掛かり、破損等の原因となった。また、吸着盤自体も長期間使用した後では、吸着盤が水槽の壁に吸着しにくく、さらに吸着してもすぐに外れてしまうことがあった。
【０００５】
また、別の水槽装置では、浮島の側面の一部に磁石を内蔵して、その磁石に水槽の壁の外から別の磁石片を吸着させて、浮島を保持するものもあった。しかし、この場合、磁石片は、２面の壁の外側から浮島内に装着した２箇所の磁石にそれぞれ吸着しているため、浮島を取り外すと、磁石片が壁から落下してしまうことがあった。例えば、水が入っている大きな水槽では、水槽自体を動かすことができないことから、水槽の裏側に落下した磁石片を取り出すことができない。そのため、浮島を取り外すには磁石片を落下させないように、手で押さえるかあるいは道具を使ってその位置で固定する必要があった。このことは非常に手間のかかることであった。
【課題を解決するための手段】
【０００６】
本考案は、上記の課題を解決するものであり、浮遊物体を収納体の壁から容易に取り外せるように構成した浮遊物体及び浮遊物体セット及びそれらを配置する水槽装置を提供するものである。すなわち、
請求項１記載の考案は、収納体内の水上を浮遊可能な浮遊物体であって、前記浮遊物体は、前記収納体内に前記収納体の一つの側壁を挟んで吸着する内側の第１の磁石片と外側の第２の磁石片からなる磁石体に対向して配置され、前記浮遊物体には、前記第１の磁石片と前記第２の磁石片間に作用する吸着力より弱い吸着力で前記磁石体の一方の磁石片に吸着する磁性体が備えられていることを特徴とするものである。
【０００７】
これによると、浮遊物体は収納体の一つの側壁にお互いに吸着されている第１の磁石片と第２の磁石片からなる磁石体の一方の磁石片に吸着される。浮遊物体の磁性体は、第１の磁石片と第２の磁石片間に作用する吸着力より弱い吸着力でいずれか一方の磁石片に吸着されていることから、浮遊物体を磁石体から取り外しても、第１の磁石片と第２の磁石片からなる磁石体は吸着したままの状態を維持することができ、それぞれの磁石片が側壁から落下することはない。そのため、浮遊物体を容易に取り外して掃除することができる。しかも浮遊物体を磁石体に取り付ける際にも、側壁に磁石体が固定されたままであるから、容易に取り付けることができる。
【０００８】
請求項２記載の考案の浮遊物体は、請求項１の考案に係るものであって、前記浮遊物体が、水槽内を浮遊して配置される水生動物の乗り降りする浮島本体と前記浮島本体に取り付けられた前記磁性体とを有する浮島であって、前記浮島の側面の一部に前記第１の磁石片が挿入される縦溝が形成され、前記縦溝内に、前記第１の磁石片に吸着可能な前記磁性体が配置されていることを特徴としている。
【０００９】
これによると、浮遊物体が水槽内に浮遊する浮島であるから、亀やイモリ等の水生動物を飼育することができる。浮島の浮島本体には、側面の一部に水槽内に配置された第１の磁石片が挿入される縦溝が形成されているから、浮島は上下方向にスライドすることができる。したがって浮島が水槽内で水に揺られても水槽の側壁への吸着状態を保持することができる。
【００１０】
請求項３記載の考案は、水槽の一つの側壁の内側に配置される第１の磁石片と、前記水槽の一つの側壁の外側に配置される第２の磁石片と、前記第１の磁石片と吸着する磁性体と、前記磁性体が取り付けられる浮遊物体と、を備えて前記水槽に取り付けられる浮遊物体セットであって、前記第１の磁石片と、前記第２の磁石片とを、互いに吸着した状態で前記水槽の一つの側壁を挟んで配置された状態において、前記第１の磁石片と、前記磁性体とが吸着して前記水槽内に前記浮遊物体が配置されていることを特徴とするものである。
【００１１】
これによれば、浮遊物体セットは、水槽の側壁の内側に配置される第１の磁石片と外側に配置される第２の磁石片と、第１の吸着片に吸着する磁性体を取り付けた浮遊物体とを備えている。第１の磁石片と第２の磁石片とを水槽の側壁を挟んで吸着させた状態で、浮遊物体の磁性体を第１の磁石片に吸着させれば、浮遊物体を水槽の側壁に容易に取り付けて停留させることができる。
【００１２】
請求項４の考案は、請求項３の考案に係るものであって、前記第１の磁石片と前記第２の磁石片との間に作用する吸着力は、前記磁性体が前記第１の磁石片に作用する吸着力より大きく形成されていることを特徴としている。
【００１３】
これによれば、浮遊物体の磁性体を第１の磁石片から取り外しても第１の磁石片と第２の磁石片は吸着した状態にあることから、第１の磁石片及び第２の磁石片いずれかが水槽の側壁から落下することはない。したがって、水槽の裏面側に落下した磁石片を取り出したり、水槽内に落下した磁石片を取り出したりするような手間を掛けることはない。また、浮遊物体の取出の際、磁石体を押さえておくような手間を掛ける必要もない。
【００１４】
請求項５記載の考案は、水槽と、前記水槽内の水上に浮遊する浮遊物体と、を備えて、前記浮遊物体が前記水槽内で停留可能に構成される水槽装置であって、前記水槽の少なくとも一つの側壁に前記側壁の内側から吸着する第１の磁石片と外側から吸着する第２の磁石片からなる磁石体と、前記浮遊物体の側面の一部に取り付ける磁性体と、を備え、前記一対の磁石片のうち水槽内側に配置される第１の磁石片に前記磁性体が吸着して前記浮遊物体が前記水槽内で停留できることを特徴とするものである。
【００１５】
これによれば、水槽装置における磁石体は、第１の磁石片と第２の磁石片とを水槽の一つの側壁を挟んで吸着しているから、磁石体は水槽の側壁に固着されている。浮遊物体に取り付けられた磁性体は、水槽の側壁に固着された第１の磁石片に吸着される。そのため、側壁に吸着された磁石体を予め押さえることなく、浮遊物体を側壁に取り付けて停留させることを容易に行なうことができる。
【００１６】
請求項６の考案の水槽装置は、請求項５記載の考案に係るものであって、前記浮遊物体が、水槽内を浮遊して配設される水生動物の乗り降りする浮島本体と前記浮島本体に取り付けられた前記磁性体とを有する浮島であって、前記浮島本体の側面の一部に前記第１の磁石片が挿入される縦溝が形成され、前記縦溝内に、前記第１の磁石片に吸着可能な前記磁性体が配置されていることを特徴としている。
【００１７】
これによれば、浮遊物体が水槽内を浮遊する浮島であるから、水槽内で亀やイモリ等の水生動物を飼育することができる。また、浮島本体の側面には、水槽内側の第１の磁石片が挿入可能な縦溝が形成されているから、水槽内での水が揺れることがあっても、浮島は上下にスライドでき、水槽の側壁に縦方向に配置した第１の磁石片との吸着を保持することができる。
【００１８】
請求項７記載の考案の水槽装置は、請求項５又は６の考案に係るものであって、前記第１の磁石片と前記第２の磁石片間に作用する吸着力は、前記磁性体が前記第１の磁石片に作用する吸着力より大きく形成されていることを特徴としている。
【００１９】
これによれば、浮島本体に取り付けられた磁性体の第１の磁石片に吸着する吸着力が、第１の磁石片と第２の磁石片との間に作用する吸着力より弱いことから、浮遊物体を取り外しても、一対の磁石片は、側壁を挟んで吸着されたままの状態にあり、水槽の裏面側に落下する磁石片を取り出したり、水槽内に落下した磁石片を取り出したりするような手間を掛けることはない。また、浮遊物体の取出の際、磁石体を押さえておくような手間を掛ける必要もない。
【図面の簡単な説明】
【００２０】
【図１】浮島が水槽の側壁に吸着されている状態を示す斜視図である。
【図２】図１の吸着状態を示すII-II断面図である。
【図３】図１の浮島の正面図である。
【図４】図１における浮島本体の縦溝を示す拡大斜視図である。
【図５】亀が乗った浮島が、水槽の壁から離れた状態を示す斜視図である。
【図６】磁石体の別の形態を示す斜視図である。
【考案を実施するための形態】
【００２１】
本考案の水槽装置は、第１の実施形態として、浮遊物体が亀やイモリ等の水生動物を飼育するための浮島１０である場合について、図１〜５に沿って説明する。図１に示すように、水槽装置Ｍは、収納体である水槽１と、水槽１内を浮遊する浮島１０とを備えている。水槽１は、ガラス板で形成された底板２と底板２の四方縁から立上る４方の側壁３を有して上面が開放された筐体状に形成されている。
【００２２】
水槽１の１つの側壁３には、磁石体５が取り付けられている。磁石体５は、一対の第１の磁石片６Ａ（水槽１内側  以下、単に磁石片６Ａともいう。）、第２の磁石片６Ｂ（水槽１外側  以下、単に磁石片６Ｂともいう。）からなり、側壁３を挟んで一対の磁石片６Ａ、６Ｂが吸着した状態で配置されている。それぞれの磁石片６Ａ、６Ｂは、棒状直方体に形成され、水槽１の側壁３の幅方向の中央部分の上部、つまり水面付近に、側壁３に対して長手方向を上下方向に沿わして配置されている。
【００２３】
一方、図１〜３に示すように、実施形態の浮島１０は、亀１６（図５参照）やイモリ等の水生動物の乗り降りする浮島本体１１と、浮島本体１１の側部に取り付けられて水槽１内側の磁石片６Ａと対向する位置に配置された磁性体としてのボルト１５と、を備えている。浮島本体１１は発泡スチロール等の重量の軽い材料で形成され、水槽１の長手方向に沿って長くなるように形成されている。
【００２４】
浮島本体１１は、板状に形成されるとともに浮島本体１１の長手方向に沿って中央部１２ａが上向きの僅かな湾曲をなしており、中央部１２ａの両側に、亀１６やイモリ等の水生動物が乗りやすいように、下方に向かって傾斜する傾斜部１２ｂ、１２ｂが形成されている。なお、傾斜部１２ｂの上面には亀１６やイモリ等が上る際に、落下防止用の横長突起部１２ｃが複数段に形成されている。
【００２５】
図３〜４に示すように、浮島本体１１の短手方向の一方の側部の一部は、水槽１の側壁３に取り付けられる装着部１３として他の部分より厚み方向に厚く形成されている。装着部１３には、水槽１内に配置された磁石片６Ａが挿入可能な縦溝１４が形成され、縦溝１４内に、磁石片６Ａに吸着可能なボルト１５が取り付けられている。縦溝１４の幅は磁石片６Ａの幅より大きく形成され、ボルト１５を縦溝１４の底面１４１から装着部１３の内部に向かってねじ込むように配置されている。したがって、縦溝１４の深さは、磁石片６Ａの厚みとボルト１５の頭部の厚みとが挿入される程度の長さを合わせた寸法に形成されていればよい。
【００２６】
また、縦溝１４内にねじ込まれるボルト１５は、図３または図４に示すように、できるだけ縦溝１４の下部に配置されることが望ましい。つまり、浮島本体１１における厚く形成された装着部１３が、水槽１の上方部に取り付けられることにより、装着部１３と対する側が下傾される。
【００２７】
なお、磁石片６Ａ、６Ｂは、ボルト１５の頭部表面積より大きく形成されるとともに、磁石片６Ａ、６Ｂ間に働く吸着力は、磁性体としてのボルト１５が磁石片６Ａに吸着される吸着力より大きくなるように設定されている。そのためボルト１５を磁石片６Ａから取り外す際、つまり浮島１０を側壁３から離れるように、浮島１０を引っ張っても、吸着されている一対の磁石体５のそれぞれの磁石片６Ａ、６Ｂ同士が吸着解除されることはなく、吸着力の弱いボルト１５が、磁石片６Ａから簡単に外れることになる。
【００２８】
上述のように構成された水槽装置Ｍでは、先ず水槽１内に水を入れ、水槽１の側壁３に磁石体５の磁石片６Ａ、６Ｂを互いに吸着できるように側壁３を挟んで取り付ける。なお、水槽が大きい場合には、水を入れた水槽を動かすことができないことから、水を入れる前に磁石体５を水槽の側壁３に取り付けておく。浮島１０を浮かべ、浮島本体１１の装着部１３を磁石体５に近づける。磁石体５における一対の磁石片６Ａ、６Ｂのうち、水槽１内側の磁石片６Ａを縦溝１４に沿って挿入できるように浮島１０を移動させることによって、ボルト１５の頭部が磁石片６Ａに吸着する。浮島１０は、側壁３に停留される。
【００２９】
図５に示すように、水槽１内に収容されて水中内で泳いでいる亀１６（又はイモリ）が浮島１０に近づき、傾斜部１２ｂから浮島本体１１上に乗る。浮島本体１１は水槽１内で停留したままであり、浮島本体１１の中央部１２ａは、水面近くの傾斜部１２ｂから緩やかな湾曲に形成されているから、亀１６は、容易に浮島１０上で巡回したり休憩したりすることができる。
【００３０】
しばらくすると亀１６は、再び水中内に入り水中内で泳ぎ始める。この動作を何回か繰り替えしているうちに、ボルト１５の磁石片６Ａに対する吸着力、が一対の磁石片６Ａ、６Ｂ間に作用する吸着力より弱いことから、その衝撃でボルト１５が磁石片６Ａから離脱することもある。これによって、浮島１０が亀１６を乗せたまま、あるいは亀１６がいない状態で側壁３から離れて水槽１内で浮遊することになる。浮遊された浮島１０をそのまま浮遊させておくか、再び、磁石片６Ａに吸着させて水槽１内に停留させておくかは、自由に選択することができる。
【００３１】
実施形態の水槽装置Ｍは、以下の効果を有している。上述の浮島１０は、浮島本体１１と磁性体としてのボルト１５を有し、ボルト１５は、浮島本体１１の側面の一部に形成した縦溝１４の底面１４１から内方に向かってねじ込まれている。そのため、ボルト１５は磁性体として作用され、一方の磁石片６Ａに吸着できることになる。磁石片６Ａは水槽１の側壁３に磁石片６Ｂと吸着されているから、浮島１０は水槽１の側壁３に取り付けられて停留することができる。しかも、磁石片６Ａと磁石片６Ｂとの間に作用される吸着力が、ボルト１５の磁石片６Ａに吸着する吸着より大きいことから、磁性体としてのボルト１５を磁石片６Ａから離脱させても、一対の磁石片６Ａ、６Ｂは落下することはない。したがって、浮島１０の側壁３に対する取付け、取り外しを容易に行なうことができ、いつでも浮島本体１１の掃除を行なうことができる。
【００３２】
また、上述の水槽装置Ｍによると、浮島本体１１に縦溝１４が形成されている。磁石片６Ａを縦溝１４内に挿入することにより、磁石片６Ａが縦溝１４内に配置されたボルト１５の頭部と吸着するので、水槽１内の水が揺れても、浮島本体１１は磁石体５と吸着したままま上下方向にスライドできる。
【００３３】
なお、本考案の水槽装置は、上述の形態に限るものではない。例えば、図６に示すように、磁石体２５を、水槽１の側壁３を挟んで吸着する一対の磁石片２６Ａ（水槽１内側）、２６Ｂ（水槽１外側）で構成する。それぞれの磁石片２６Ａ、２６Ｂが非磁性体としての長尺状のガラス製又は樹脂製の板プレート２７と、板プレート２７の両端部に装着するボタン状磁石２８とを有し、それぞれにボタン状磁石２８、２８をお互いに対向するようにして前述の水槽１の側壁３を挟んで吸着してもよい。この場合、一対の磁石片２６Ａ、２６Ｂを、水槽１の横方向に長くなるように側壁３に取り付けて、浮遊物体に水平方向に取り付けた鉄板２２を、板プレート２７の両端に取り付けたボタン状磁石２８、２８の一方に吸着するか又は両方を跨ぐようにして吸着させる。
【００３４】
また、浮遊物体は、浮島に限らず、水に浮遊できるものであれば、例えば、浮き輪であってもよい。また、水に浮遊することができる水生動物の産卵箱であってもよい。
【符号の説明】
【００３５】
Ｍ、水槽装置
１、水槽
３、側壁
５、磁石体
６Ａ、６Ｂ、磁石片
１０、浮島
１１、浮島本体
１３、装着部
１４、縦溝
１５、ボルト（磁性体）
１６、亀
２２、鉄板（磁性体）
２５、磁石体
２６Ａ、２６Ｂ、磁石片
【図１】
0003189851.tif 000003
【図２】
0003189851.tif 000004
【図３】
0003189851.tif 000005
【図４】
0003189851.tif 000006
【図５】
0003189851.tif 000007
【図６】
0003189851.tif 000008